(57)【特許請求の範囲】
【請求項１】
軒樋を支持する支持具であって、支持具本体と、支持具本体の後端に設けられた鼻隠し板などに固定するための取付け片と、支持具本体の前端と後部にそれぞれ形成された軒樋の耳部を保持する耳縁保持部とからなり、支持具本体の上面に水糸の位置決め部を設けると共に、支持具本体の下面に水糸を係止する係止部を設けたことを特徴とする軒樋支持具。
【請求項２】
係止部が突片であり、位置決め部が凹溝で形成されていることを特徴とする請求項１に記載の軒樋支持具。
【請求項３】
係止部が突片であり、位置決め部が凸部で形成されており、該凸部を係止部よりも家屋側又は／及び屋外側に設けたことを特徴とする請求項１に記載の軒樋支持具。
【請求項４】
位置決め部と係止部とが、位置決め部を設けた支持具本体の上面に対して位置決め部を設けた箇所で直交する仮想面内であって、且つ、支持具本体の長さ方向に直交する線に対して平行な仮想面内に位置する位置関係であることを特徴とする請求項１ないし請求項３のいずれかに記載の軒樋支持具。
【請求項５】
支持具本体が、第一の支持棹と第二の支持棹とからなり、第一の支持棹には軒樋の前側耳部を保持する耳縁保持部と軒樋の後側耳部を保持する耳縁保持部が設けられ、第二の支持棹には鼻隠し板などに固定するための取付け片が設けられており、第一の支持棹が第二の支持棹に対して摺動して、支持具本体が伸縮自在であることを特徴とする請求項１ないし請求項４のいずれかに記載の軒樋支持具。
【請求項６】
請求項１ないし請求項５のいずれかに記載の軒樋支持具を、軒先の鼻隠し板などの両端に、両端間の長さに応じた水勾配分の高低差をつけてそれぞれ取付けて、一方の支持具の係止部に水糸を係止させたのち、その水糸を他方の支持具の係止部に係止させ、一方の軒樋支持具と他方の軒樋支持具の間に、位置決め部が水糸に合致するように軒樋支持具を取付けることを特徴とする軒樋支持具の設置方法。
【発明の詳細な説明】
【技術分野】
【０００１】
本発明は、軒樋を家屋の軒先に取付けるための支持具と、その支持具の設置方法に関するものである。
【背景技術】
【０００２】
近年、都市部の住宅は、軒先の出幅が短くなる傾向にあり、そのような住宅の軒先に軒樋を取付けるには、鼻隠し板などに一定間隔で吊金具を固定し、その吊金具に軒樋を取付ける方法が採られている。軒樋には適正な水勾配をつける必要があるので、水糸を目安に吊金具を固定する位置を決定している。その具体的な方法は、以下の手順で行われるのが一般的である。
【０００３】
まず、両端に取付けられる吊金具の水平方向の距離を測定し、適切な水勾配を勘案して、両端の吊金具をビスや釘等で鼻隠し板に固定する。そして、その固定した両端の吊金具に水糸を張り、その水糸を目安に中間の各吊金具を固定していく。
【０００４】
上記の方法で、中間の各吊金具を固定する位置を決定することができるが、正確な勾配をつける作業には熟練を要するため、誰にでも簡単に行えない、という問題があった。つまり、固定した両端の吊金具に水糸を張る作業は、水糸の先端に輪を作っておいて一方の吊金具に引っ掛けて、他方の吊金具に水糸の先端を括りつけたりして行うものであるが、輪の部分をきちんと動かないようにしておかないと、作業中に水糸の位置がズレて、中間の吊金具を固定する位置に狂いが生じ、適正な水勾配をつけることができないことがあった。
【０００５】
上記のように、吊金具の設置には熟練を要するので、鼻隠し板と当接する略垂直に屈曲された軒樋の耳部と係合する係合金具と、鼻隠し板などに固定する固着金具とが摺動自在に移動してなる軒樋吊金具のように、係合金具が上下方向にスライドして高さ調整できるようにした吊金具が提案された（特許文献１）。この吊金具は、係合金具をスライドさせることで高さ位置を調整できるものであるが、係合金具と固着金具と吊板がそれぞれ別個に形成されたものなので、組み立てが面倒で、部品点数が増えるためコストが高くなる、という問題があった。また、鼻隠し板などに固定したのちに高さ調整を行うので、鼻隠し板などへの取付けと、高さ調整を個別に行う必要があり、作業が煩雑となるばかりか、結局のところ、目安となる水糸の位置がズレて、水勾配が狂っている場合には、軒樋に適正な水勾配をつけることができないという問題は残ったままである。
【０００６】
また、吊金具を固定する鼻隠し板などが傾斜している場合には、高さ調整と共に、前後の出幅調整も必要となることから、前端で軒樋の前補強縁を保持し後端で後補強縁を載置する第１の支持金具と、この第１の支持金具に対して摺動し、軒先に固定する取付け片を備えた第２の支持金具とを押圧しながらスライドするバンドを備えた軒樋の吊金具などのように、前後にスライド調整できる吊金具が提案されている（特許文献２）。この特許文献２の前後スライド調整機構を有する軒樋の吊金具と、上記特許文献１の高さ調整機能を有する吊金具を組み合わせると、出幅調整及び高さ調整をすることができる吊金具が完成するが、更なる部品点数の増加に伴うコスト高になると共に、調整作業が非常に煩雑になってしまう。しかも、出幅調整や高さ調整をする際、目安となる水糸の水勾配が狂っている場合には、軒樋に適正な水勾配をつけることができないという問題は解決できない。
【特許文献１】特開２００１−１２３６０６号公報
【特許文献２】特開平０７−２０７８５６号公報
【発明の開示】
【発明が解決しようとする課題】
【０００７】
本発明は上記の問題に鑑みてなされたもので、その解決しようとする課題は、水糸を用いて、軒樋を正確な水勾配に沿って簡単且つ確実に設置することができる軒樋支持具と、その支持具の設置方法を提供することにある。また、本発明は、支持具を設置する鼻隠し板などが傾斜している場合でも同様の効果を提供することも解決課題とする。
【課題を解決するための手段】
【０００８】
上記目的を達成するため、本発明に係る軒樋支持具は、軒樋を支持する支持具であって、支持具本体と、支持具本体の後端に設けられた鼻隠し板などに固定するための取付け片と、支持具本体の前端と後部にそれぞれ形成された軒樋の耳部を保持する耳縁保持部とからなり、支持具本体の上面に水糸の位置決め部を設けると共に、支持具本体の下面に水糸を係止する係止部を設けたことを特徴とするものである。
【０００９】
本発明の軒樋支持具においては、係止部が突片であり、位置決め部が凹溝で形成されていることが好ましく、また、係止部が突片であり、位置決め部が凸部で形成されていて、該凸部が係止部よりも家屋側又は／及び屋外側に設けられていることも好ましい。また、位置決め部と係止部とが、位置決め部を設けた支持具本体の上面に対して位置決め部を設けた箇所で直交する仮想面内であって、且つ、支持具本体の長さ方向に直交する線に対して平行な仮想面内に位置する位置関係であることが好ましい。更に、支持具本体が、第一の支持棹と第二の支持棹とからなり、第一の支持棹には軒樋の前側耳部を保持する耳縁保持部と軒樋の後側耳部を保持する耳縁保持部が設けられ、第二の支持棹には鼻隠し板などに固定するための取付け片が設けられており、第一の支持棹が第二の支持棹に対して摺動して、支持具本体が伸縮自在である軒樋支持具も好ましい。
【００１０】
一方、本発明に係る軒樋支持具の設置方法は、支持具本体の上面と下面に水糸の位置決め部と係止部が設けられた本発明の軒樋支持具を、軒先の鼻隠し板などの両端に、両端間の長さに応じた水勾配分の高低差をつけてそれぞれ取付けて、一方の支持具の係止部に水糸を係止させたのち、その水糸を他方の支持具の係止部に係止させ、一方の軒樋支持具と他方の軒樋支持具の間に、該水糸を基準にして軒樋支持具を取付けることを特徴とするものである。
【発明の効果】
【００１２】
本発明の軒樋支持具は、支持具本体の下面に係止部を設けたことで、水糸が係止部に確実に係止された状態で支持具の位置決め作業を行うことができるので、従来のように基準となる水糸がズレたり外れたりすることがなく、正確な水勾配を示す水糸を基準に支持具を設置することができる。従って、その支持具に取付けられる軒樋もまた、正確な水勾配に沿って設置することができる。また、従来の吊金具と比較すると、部品点数を最小限に抑えることができるので、コストの増加を抑えることもできる。
尚、ここでいう水勾配とは、勾配が０、つまり水平を含むものである。
【００１３】
また、本発明の軒樋支持具は、支持具本体の上面に水糸の位置決め部を設けているので、係止部に係止させた水糸を、位置決め部に沿わせるようにすることで、位置ズレなく水糸を引き出すことができる。また、両端に設置された軒樋支持具の間に設置される支持具は、位置決め部が張られた水糸と合致するようにして鼻隠し板などに固定するだけで、正確な水勾配をつけることができる。このように、本発明の軒樋支持具は、支持具本体の下面と上面に係止部と位置決め部が設けられているため、設置作業のとき軒樋支持具の上面の位置決め部の視認性が良好で作業がし易くなり、また、軒樋支持具の下面の係止部に係止させた水糸を位置決め部に沿わせて引き出し易く、ズレ難くなるので、設置作業がより確実で容易となる。
【００１４】
更に、係止部が突片であり、位置決め部が凹溝で形成された軒樋支持具は、水糸を係止部に係止させ易く、水糸が凹溝に嵌まり込んでズレることもないので位置決め作業がより簡単となる。
【００１５】
また、係止部が突片であり、位置決め部が凸部で形成されており、該凸部を係止部よりも家屋側又は／及び屋外側に設けた軒樋支持具も、上記の支持具と同様に、水糸が位置ズレすることなく、支持具の位置決め作業がやり易い。
尚、位置決め部は２箇所以上の凸部で形成してもよい。
【００１６】
更に、位置決め部と係止部とが、位置決め部を設けた支持具本体の上面に対して位置決め部を設けた箇所で直交する仮想面内であって、且つ、支持具本体の長さ方向に直交する線に対して平行な仮想面内に位置する位置関係である軒樋支持具は、係止部に水糸を係止させたのち、水糸を位置決め部に沿わせて引き出し易く、且つ、ズレ難くなるので、鼻隠し板の両端に設置される支持具に効果を奏する。
【００１８】
また、支持具本体が、第一の支持棹と第二の支持棹とからなり、第一の支持棹には軒樋の前側耳部を保持する耳縁保持部と軒樋の後側耳部を保持する耳縁保持部が設けられ、第二の支持棹には鼻隠し板などに固定するための取付け片が設けられており、第一の支持棹が第二の支持棹に対して摺動して、支持具本体が伸縮自在である軒樋支持具は、第一の支持棹を摺動させると出幅調整が可能となるので、鼻隠し板などが傾斜している場合でも、第一の支持棹を伸ばしたり縮めたして位置決め部を水糸に合致させることで、支持具を正確に設置することができる。
【００２０】
また、係止部及び位置決め部が支持具本体の下面と上面に設けられた軒樋支持具を、軒先の鼻隠し板などの両端に、両端間の長さに応じた水勾配分の高低差をつけてそれぞれ取付けて、一方の支持具の係止部に水糸を係止させたのち、その水糸を他方の支持具の係止部に係止させ、一方の軒樋支持具と他方の軒樋支持具の間に、位置決め部が水糸に合致するように軒樋支持具を取付ける本発明の軒樋支持具の設置方法は、両端に設置された支持具の係止部に、水糸が確実に係止された状態で、中間に設置される支持具の位置決め作業を行うことができるので、従来のように水糸がズレたり外れたりすることがなく、正確な水勾配を示す水糸を基準に支持具を設置することができ、且つ、支持具本体の上面の位置決め部によって水糸を位置決めできるので、係止部だけを設けた軒樋支持具を用いるよりも正確に設置することができる。しかも、位置決め部を水糸に合わせるようにすると、高さ調整だけでなく出幅調整も可能となるので、鼻隠し板が傾斜している場合でも、容易に正確な水勾配に沿って支持具を設置することができる。
【発明を実施するための最良の形態】
【００２１】
以下、図面を参照して本発明の具体的な実施形態を詳述する。
【００２２】
図１は本発明の一実施形態に係る軒樋支持具の右側面図、図２は同支持具の正面図、図３は同支持具の平面図、図４は図３のＡ−Ａ断面図、図１１は同支持具を鼻隠し板に設置した状態を示す断面図である。
【００２３】
本発明の軒樋支持具１は、図１１に示すように、軒樋３を支持するために、家屋の軒に取付けられた鼻隠し板２に設置されるもので、軒先の出幅が短くなる傾向にある都市部の住宅で特に好適に用いられる。
【００２４】
この軒樋支持具１は、ポリカーボネート樹脂などの合成樹脂で一体成形された、軒樋３を家屋の鼻隠し板２に取付けるための支持具であって、図１、図２、図３に示すように、軒樋３を支持する支持具本体１ａと、支持具本体１ａの後端に設けられ、鼻隠し板２に固定するための取付け片１ｂと、支持具本体１ａの前端に形成された軒樋３の前側耳部３ａを保持する前耳縁保持部１ｃと、支持具本体１ａの後部に形成され、軒樋３の後側耳部３ｂを保持する後耳縁保持部１ｄと、支持具本体１ａの下面から下方へと形成された軒樋３の浮き上がりを防止するための浮上防止片１ｈからなるものである。
尚、本実施形態の軒樋支持具１は合成樹脂製であるが、金属で形成したものでもよい。
【００２５】
支持具本体１ａは、軒樋３を支持するための架橋片であって、図４に示すように、その両側面は軽量化のため肉抜きされて断面形状が略エ型をしている。図１に示すように、この支持具本体１ａの前端は、斜め前方に立ち上げられて、その先端には、軒樋３の前側耳部３ａを下方から保持する前耳縁保持部１ｃが形成されている。また、支持具本体１ａの上面は、後側に向うにつれて徐々に立ち上げられていき、その後端には、鼻隠し板２に取付けられる取付け片１ｂが設けられている。
【００２６】
支持具本体１ａの後端に設けられた取付け片１ｂは、鼻隠し板２に軒樋支持具１を固定するための方形の板体で、図２に示すように、その四隅には、ビス等の止具７をねじ込むための止具挿通孔１ｉ，１ｉ，１ｉ，１ｉが形成されている。
【００２７】
支持具本体１ａの下面の後部には、軒樋３の後側耳部３ｅを下方から保持する後耳縁保持部１ｄが形成されており、図１１に示すように、この後耳縁保持部１ｄと上記前耳縁保持部１ｃとで、軒樋３を下方から保持するようになっている。また、図１に示すように、支持具本体１ａの下面の前部には、浮上防止片１ｈが形成されている。この浮上防止片１ｈは、支持具本体１ａの下面から下方へと突出するように形成された軒樋３の浮き上がりを防止するためのもので、図１１に示すように、軒樋３の前板３ａの形状に沿うように、段部が設けられている。この浮上防止片１ｈが、軒樋３の前板段部３ａに当接することで、軒樋３が風で浮き上がるのを防止することができる。
【００２８】
支持具本体１ａの下面の略中心部には、図１、図３等に示すように、水糸８を係止する係止部１ｅが設けられており、支持具本体１ａの上面の両端から側面にかけて、水糸８がズレないようにすると共に、水糸８の通る位置を示す位置決め部１ｆ，１ｆが設けられている。この係止部１ｅと位置決め部１ｆとは、位置決め部１ｆを設けた面に対して位置決め部１ｆを設けた箇所で直交する仮想面内であって、且つ、支持具本体１ａの長さ方向に直交する線に対して平行な仮想面内に位置する位置関係であることが好ましく、このような位置関係に係止部１ｅと位置決め部１ｆを設けると、係止部１ｅに係止させた水糸８を位置決め部１ｆに沿わせて引き出し易く、また、ズレ難くなるので、特に鼻隠し板２の両端に設置する軒樋支持具１，１に効果を奏する。
【００２９】
上記係止部１ｅは、図１、図４に示すように、支持具本体１ａの下面から下方へ突出した突片であって、下側の直径が大きい凸型となるように形成されている。この突片１ｅは、単なる棒でもよいが、本実施形態のように、突片１ｅを下広がりに形成することで、水糸８を確実に係止させることができ、水糸８が位置ズレしたり外れたりするのを防止することができる。この突片１ｅは、３〜２０ｍｍ程度下方へ突出させることが好ましく、３ｍｍよりも短いと水糸８を係止させ難くなり、また、２０ｍｍよりも長いと係止させた水糸８の係止位置がズレ易くなるので好ましくない。これらを考慮すると、５〜１５ｍｍ程度下方へ突出させるのがより好ましい。
尚、係止部１ｅは、本実施形態のほかにも種々の形状のものが考えられ、例えば、図５に示すような下側に向って徐々に径が拡大していく下広がりの突片１０ｅを係止部とすることもできる。また、支持具本体１ａの上面に突片１ｅを設ける場合は、上広がりとなるように形成することが好ましく、図６に示すように、突片１１ｅを側面に設ける場合は、外広がりとなるように形成するが好ましい。また、突片を下広がりや上広がりの形状にするのに代えて、突片の先端に膨出部を設けてもよい（不図示）。更に、係止部を側面に設ける場合、図８に示すように、下方に屈曲させたＬ字型の突片１５ｅを係止部とすると、水糸８を位置ズレなく係止させ易いので好ましい。
【００３０】
上記係止部１ｅに係止させた水糸８の位置決めをする位置決め部１ｆは、図１、図４に示すように、支持具本体１ａの上面から側面にかけて４５°切り欠いた三角形の凹溝であって、強度を確保しながらも位置決めした水糸８がズレないように、１〜５ｍｍ程度切り欠いてある。この凹溝１ｆ，１ｆと、取付け片１ｂとは、正しい出幅調整をするために、平行の位置関係となるように形成することが必要で、このように凹溝１ｆ，１ｆを支持具本体１ａの上面両端部から側面にかけて２箇所設けてあると、軒樋支持具１を鼻隠し板２の左端に設置しても、右端に設置しても、係止させた水糸８を凹溝１ｆに沿わせて引き出すことができるので、施工性が向上する。また、ノッチ効果による破損に対する補強を行うのであれば、位置決め部は支持具本体１ａの上面を横切る1本の長い凹溝としてもよい。
【００３１】
また、支持具本体１ａの上面には、図３に示すように、軒樋支持具１を位置決めするときの目安となる標線１ｇが附されている。水糸８が張られた位置に、この標線１ｇを合わせるように軒樋支持具１を設置するだけで、高さ調整と出幅調整をすることができるので、作業効率が非常に向上し、特に、中間の軒樋支持具１を設置するときに役に立つ。
【００３２】
上記凹溝１ｆを支持具本体１ａの上面、又は側面の全面に設けてもよいが、支持具本体１ａの強度が低下する恐れがあるので、全面に設けるのであれば、深さを３ｍｍ程度までに留めておく必要がある。また、位置決め部は、上記のような凹溝に限定されるものではなく、図９に示すように、凸部１００ｆによって位置決め部１０ｆを形成してもよい。位置決め部１０ｆが凸部１００ｆで形成される場合は、図９に示すように、水糸８の位置決めがし易いように、支持具本体１ａの上面の隅に４箇所程度の凸部１００ｆを設けることが好ましい。この凸部１００ｆは家屋側にのみ１箇所設けるだけでもよいし、屋外側にのみ１箇所設けるだけでもよく、家屋側と屋外側に各1箇所づつ設けてもよい（不図示）。また、相対する凸部１００ｆを設けて位置決め部１０ｆを形成する場合は、凸部同士を連ねて二瘤駱駝の瘤のようにすることも可能である（不図示）。
更に、例えば、図１０に示すような、水糸８を沿わせるために、凸部１１０ｆの側面を半円状に切り欠いた位置決め部１１ｆとしてもよく、この場合、水糸８がズレ難くいので、１箇所又は２箇所設ければ充分位置決め部としての機能を奏する。また、上記切り欠きが家屋側に向かって開いた凸部１１０ｆを屋外側寄りに設けてもよいし、屋外側に向かって開いて凸部１１０ｆを家屋側寄りに設けてもよい。
【００３３】
上記係止部１ｅ及び位置決め部１ｆは、軒樋３と干渉しない箇所であれば、支持具本体１ａ、取付け片１ｂ、前耳縁保持部１ｃ、後耳縁保持部１ｄ、浮上防止片１ｈのどの箇所にも設けることができるが、平坦な場所に設けるほうが水糸８を係止させ易く、位置決めもし易いので、本実施形態では支持具本体１ａの下面に係止部１ｅが、支持具本体１ａの上面から側面にかけて位置決め部１ｆ，１ｆが設けられている。
【００３４】
尚、位置決め部１ｆを支持具本体１ａの上面に設けた場合は、係止部１ｅは、支持具本体１ａの下面か側面に設ければよい。また、位置決め部１ｆを支持具本体１ａの下面に設けた場合は、係止部１ｅは、支持具本体１ａの上面か側面に設ければよいが、水糸８を基準にして軒樋支持具１を鼻隠し板２に設置する作業は、上から軒樋支持具１を見下ろしてすることが多いので、そのときの施工性を考慮すると、支持具本体１ａの上面に位置決め部１ｆを設けるのが最も好ましい。従って、係止部１ｅは、支持具本体１ａの下面、又は側面に設けられることが多い。係止部１ｅを支持具本体１ａの側面に設けた場合は、図６に示すように、係止部１ｅの先端形状は、単なる棒状の突片のほか、図７に示すような、（ａ）三角形の係止部１２ｅ（ｂ）円弧型の係止部１３ｅ（ｃ）係止部五角形１４ｅなど、種々のものが考えられるが、上端が尖った形状であるほうが、水糸８を輪にして係止部１ｅに係止させたとき、輪の結び目が係止部１ｅの上端に係止して、位置ズレし難いので好ましい。
【００３５】
次に、以上のような構成の軒樋支持具１の設置方法を説明する。
【００３６】
図１６（ここで１０と矢符したものを１と読み替える）に示すように、まず、前述した軒樋支持具１を、軒先の鼻隠し板２の両端に設置する。軒樋支持具１の設置は、図１１に示すように、取付け片１ｂの止具挿通孔１ｉ，１ｉ，１ｉ，１ｉに、ビス等の止具７，７，７，７を挿通し、鼻隠し板２にねじ込んで固定することにより行われる。このとき、軒樋３には通常１／１００程度の勾配をつけるので、鼻隠し板２の長さが３ｍのときは下に位置する軒樋支持具１（本実施形態では左側）が３ｃｍ下に位置するように設置する（高低差３ｃｍ）。軒樋３の水勾配は、緩すぎると雨水が軒樋３に留まって排水しない恐れがあり、また、きつすぎると軒樋支持具１の取付けが鼻隠し板２の高さ寸法内に納まらなくなったり、家屋の外観を損なったりするので、軒樋３の水勾配は、１／２００勾配〜３／１００勾配程度となるように、軒樋支持具１を設置することが好ましい。
【００３７】
鼻隠し板２の両端に軒樋支持具１，１を設置すると、一方の軒樋支持具１の係止部１ｅに水糸８を係止させて、その水糸８を位置決め部１ｆに沿わせながら引き出して、他方の軒樋支持具１の係止部１ｅに係止させる。このときの係止方法は、水糸８に輪を作っておいて係止させてもよいし、単に括りつけるだけでもよいが、通常、水糸８は再利用するものなので、輪を作って一方の軒樋支持具１に係止させ、他方の軒樋支持具１には括りつけることにより行われる。
【００３８】
次に、両端の軒樋支持具１，１の間に、軒樋支持具１を各々取付けていく。各軒樋支持具１は、６０ｃｍ程度の間隔をあけて取付けていく。このとき、正確な水勾配に沿って張られた水糸８が位置決め部１ｆに合致するよう、即ち、水糸８の真下に支持具本体１ａの標線１ｇが位置するように、或いは、水糸８が標線１ｇに合致又は軽く接触するようにして軒樋支持具１を設置する。全ての軒樋支持具１の設置が完了すると、軒樋３の前側耳部３ｃと後側耳部３ｄを、軒樋支持具１の前耳縁保持部１ｃと後耳縁保持部１ｄにそれぞれ保持することで、軒樋３は正確な水勾配に沿って取付けられる。
【００３９】
以上のような構成の軒樋支持具１とその支持具１の設置方法は、図１１に示すような鼻隠し板２が傾斜してなくて、軒樋支持具１の出幅調整が不要な場合に好適に用いられるもので、支持具本体１ａに係止部１ｅと位置決め部１ｆを設けたことで、水糸８が係止部１ｅに確実に係止された状態で支持具１の位置決め作業を行うことができるので、従来のように基準となる水糸８がズレたり外れたりすることがない。そして、中間の支持具１は、位置決め部１ｆが水糸８に合致するように鼻隠し板２に固定すれば、正確な水勾配をつけることができるので、その支持具１に取付けられる軒樋３もまた、正確な水勾配に沿って設置することができる。また、従来の高さ調整が可能な吊金具や出幅調整が可能な吊金具と比較すると、部品点数を最小限に抑えることができるので、コストの増加を抑えることもできる。
【００４０】
図１２は本発明の他の実施形態に係る軒樋支持具の右側面図、図１３は同支持具の正面図、図１４は同支持具の第一の支持棹を最大限伸ばした状態を示す右側面図、図１５は同支持具を鼻隠し板に設置した状態を示す断面図である。
【００４１】
本実施形態の軒樋支持具１０は、図１５に示すように、鼻隠し板２が傾斜していて、支持具の出幅調整が必要な場合に好適に用いられるもので、図１２に示すように、軒樋３を支持する支持具本体１０ａと、支持具本体１０ａの後端に設けられた鼻隠し板２に固定するための取付け片１ｂと、支持具本体１０ａの前端に形成された軒樋３の前側耳部３ａを保持する前耳縁保持部１ｃと、支持具本体１０ａの後部に形成された軒樋３の後側耳部３ｄを保持する後耳縁保持部１ｄとからなるものである。
【００４２】
支持具本体１０ａは、図１２に示すように、第一の支持棹１１ａと第二の支持棹１２ａとで構成されるもので、第一の支持棹１１ａの略中央部には長孔（不図示）が形成されている。一方、第二の支持棹１２ａの前端部は一段低い段状に曲げ加工され、この前端部にネジ挿通孔（不図示）が設けられており、後端には鼻隠し板２に取付けられる取付け片１ｂが設けられている。そして、このネジ挿通孔に固定ネジ９ａを挿通すると共に、第一の支持棹１１ａの上記長孔に挿通し、上方から蝶ナット９ｂで締め付けることによって、第一の支持棹１１ａと第二の支持棹１２ａが一体に組み付けられている。この蝶ナット９ｂを緩めると、第一の支持棹１１ａが摺動し、図１２と図１４に比較して示すように、支持具本体１０ａを伸ばしたり縮めたりすることが自在となる。この蝶ナット９ｂを締め付けると、第一の支持棹１１ａと第二の支持棹１２ａは固定される。
【００４３】
第一の支持棹１１ａの前端部は斜め上方に曲げ加工され、軒樋３の前板３ａ上端の前側耳部３ｃを保持する前耳縁保持部１ｃが形成されており、後端部には軒樋３の後板３ｂ上端の後側耳部３ｄを保持する後耳縁保持部１ｄが形成されている。また、第一の支持棹１１ａの後端部には、軒樋３の後側耳部３ｄが後耳縁保持部１ｄから外れるのを防止する板バネ１ｊが形成されており、第一の支持棹１１ａの側面には、その出幅の寸法を示す目盛が附されている。
【００４４】
また、第一の支持棹１１ａの上面の両端部から側面にかけて、前述した実施形態と同様の位置決め部１ｆ（凹溝で形成）が設けられると共に、下面には係止部１ｅ（突片）が設けられている。この係止部１ｅ及び位置決め部１ｆは、第一の支持棹１１ａを最も縮めた状態のとき、第二の支持棹１２ａに干渉しない箇所に設ける必要があるので、軒樋３に干渉しない箇所、且つ、平坦である第一の支持棹１１ａの先端部分に設けられている。
【００４５】
一方、第二の支持棹１２ａの後部は一段高い段状に曲げ加工され、その後端には、鼻隠し板２の傾斜角に沿うように取付け片１ｂが設けられている。本実施形態の軒樋支持具１０は、鼻隠し板２が傾斜している場合に好適に用いられるものなので、傾斜した鼻隠し板２に軒樋支持具１０を固定すると、軒樋３の重みが斜め下方へ作用し、外れ易い。従って、この取付け片１ｂには、前述した軒樋支持具１の取付け片１ｂに形成された止具挿通孔１ｉが４個であったのに対して、この軒樋支持具１０には、止具挿通孔１ｉが６個形成されている。
この軒樋支持具１０のその他の構造は、前述した図１〜図１１に示す実施形態の軒樋支持具１と同様であるから、同一部材に同一符号を附して、説明を省略する。
【００４６】
次に、上記構成の軒樋支持具１０の設置方法を説明する。
【００４７】
前述した軒樋支持具１の設置方法と同様に、まず、軒樋３の水勾配を勘案して軒樋支持具１０，１０を、軒先の鼻隠し板２の両端に設置し、取付け片１ｂの止具挿通孔１ｉ，１ｉ，１ｉ，１ｉ，１ｉ，１ｉに、ビス等の止具７，７，７，７，７，７を、鼻隠し板２にねじ込んで固定する。そして、一方の軒樋支持具１０の第一の支持棹１１ａの係止部１ｅに水糸８を係止させたのち、その水糸８を位置決め部１ｆに沿わせて、他方の軒樋支持具１０の第二の支持棹１２ａの係止部１ｅに係止させる（図１６）。
【００４８】
次に、両端の軒樋支持具１０，１０の間に、軒樋支持具１を、正確な水勾配に沿って張られた水糸８が位置決め部１ｆに合致するようにして軒樋支持具１０を設置していく（図１７）。このとき、鼻隠し板２は傾斜しているので、軒樋支持具１０の出寸法は下側に向うにつれて大きくなっていく。従って、高さを調整する作業と共に、出幅の調整作業も必要となるので、蝶ナット９ｂを緩めて第一の支持棹１１ａを伸ばしたり縮めたりして、位置決め部１ｆが水糸８に合致するようにしたのち、蝶ナット９ｂを締め付けて固定し、軒樋支持具１０を鼻隠し板２に設置する必要がある。そして、軒樋３の前側耳部３ｃと後側耳部３ｄを、軒樋支持具１０の前耳縁保持部１ｃと後耳縁保持部１ｄにそれぞれ保持させることで、軒樋３の取付け作業が完了する。
この軒樋支持具１０の設置方法のその他の構造は、前述した図１〜図１１に示す実施形態の軒樋支持具１の設置方法と同様であるから、説明を省略する。
【００４９】
以上のような構成の軒樋支持具１０とその支持具１０の設置方法は、第一の支持棹１１ａが伸縮自在であるので、鼻隠し板２が傾斜している場合でも、第一の支持棹１１ａを伸ばしたり縮めたりして、位置決め部１ｆを水糸８に合致させることで、正確な高さ調整と出幅調整ができる。
【図面の簡単な説明】
【００５０】
【図１】本発明の一実施形態に係る軒樋支持具の右側面図である。
【図２】同支持具の正面図である。
【図３】同支持具の平面図である。
【図４】図３のＡ−Ａ断面図である。
【図５】同支持具の係止部の他の実施形態を示す部分拡大図である。
【図６】同支持具の係止部を支持具本体の側面に設けた実施形態を示す断面図である。
【図７】図６に示す実施形態の係止部のバリエーションを示す部分拡大図である。
【図８】同支持具の係止部を支持具本体の側面に設けた他の実施形態を示す断面図である。
【図９】同支持具の係止部が凸部である形態を示す平面図である。
【図１０】図９に示す実施形態の係止部のバリエーションを示す部分拡大図である。
【図１１】同支持具を鼻隠し板に設置した状態を示す断面図である。
【図１２】本発明の他の実施形態に係る軒樋支持具の右側面図である。
【図１３】同支持具の正面図である。
【図１４】同支持具の第一の支持棹を最大限伸ばした状態を示す右側面図である。
【図１５】同支持具を鼻隠し板に設置した状態を示す断面図である。
【図１６】本発明の軒樋支持具の設置方法の一実施形態を示す説明図である。
【図１７】同設置方法を示す説明図である。
【符号の説明】
【００５１】
１，１０  軒樋支持具
１ａ，１０ａ  支持具本体
１ｂ  取付け片
１ｃ  前耳縁保持部
１ｄ  後耳縁保持部
１ｅ，１０ｅ，１１ｅ，１２ｅ，１３ｅ，１４ｅ，１５ｅ  係止部（突片）
１ｆ  位置決め部（凹溝で形成）
１０ｆ，１１ｆ  位置決め部（凸部で形成）
１ｇ  標線
１ｈ  浮上防止片
１ｉ  止具挿通孔
１ｊ  板バネ
２    鼻隠し板
３    軒樋
３ａ  前板
３ｂ  後板
３ｃ  前側耳部
３ｄ  後側耳部
４    屋根材
５    野地板
６    軒天
７    止具
８    水糸
９ａ  固定ネジ
９ｂ  蝶ナット
【図１】
0005270190.tif 000002
【図２】
0005270190.tif 000003
【図３】
0005270190.tif 000004
【図４】
0005270190.tif 000005
【図５】
0005270190.tif 000006
【図６】
0005270190.tif 000007
【図７】
0005270190.tif 000008
【図８】
0005270190.tif 000009
【図９】
0005270190.tif 000010
【図１０】
0005270190.tif 000011
【図１１】
0005270190.tif 000012
【図１２】
0005270190.tif 000013
【図１３】
0005270190.tif 000014
【図１４】
0005270190.tif 000015
【図１５】
0005270190.tif 000016
【図１６】
0005270190.tif 000017
【図１７】
0005270190.tif 000018